(57)【特許請求の範囲】
【請求項１】
ハウジングとしてのカップ状の外筒内に、この外筒の底部に同軸かつ入れ子状に嵌装され、相互に独立に回動できるように支承されたカップ状の内側及び外側内筒を設け、これら内側及び外側内筒の開口端縁にｎ（ｎ：２以上の正の整数）個の外筒半径方向の係合溝を形成すると共に、内側及び外側内筒の相互に対向する部分に、相互に干渉可能な第１及び第２係合片を夫々突設し、また、解錠番号設定用の摘みを内側及び外側内筒の何れか一方に結合し、一方、外筒の内端部に、一端に外部の錨止部と係合する係合片を、他端に錠止部を夫々形成したラッチ体の中央部を内筒の軸線を含む平面内で回動可能に支承し、他方、このラッチ体と干渉しないようにして、番号変換ブロックを内筒軸線方向に移動可能に支承し、この番号変換ブロックの外端部に、上記内側及び外側内筒の夫々に対応して、夫々一部にラッチ体の錠止部が通過可能な切欠を形成した第１及び第２リングストッパーを内筒と同軸に配設し、これらを相互に独立して回動可能に支承すると共に、ラッチ体の錠止部を内方から第１及び第２リングストッパーの中心開口に挿入してその開口端縁に内側から係合可能に臨ませ、また、第１及び第２リングストッパーに、夫々少なくとも１個の係合突起を対応する内筒の係合溝に選択的に係合可能に形成し、ラッチ体の錠止部が第１及び第２リングストッパーの切欠に整合した解錠状態で番号変換ブロックを外方に押動し、第１及び第２リングストッパーの係合突起を内側及び外側内筒の係合溝に係合させることにより、内側内筒及び第１リングストッパー、及び外側内筒及び第２リングストッパーを夫々一体的に連結し、以て、摘みの回動操作で第１及び／又は第２リングストッパーの切欠を所定の角度位置から外してラッチ体の錠止部を回動不能に拘束することによる施錠を可能にし、一方、ラッチ体の錠止部が第１及び第２リングストッパーの切欠に整合した解錠状態で番号変換ブロックを内方に押動し、第１及び第２リングストッパーを内側及び外側内筒から切り離すことにより、摘みの操作で新しい番号を設定するようにしたことを特徴とする可変ダイアル錠。
【請求項２】
上記番号変換ブロックを選択的に固定する第１係止手段を設け、以て番号変換機能が働く作動モードと働かない作動モードに切替えることを可能にした請求項１に記載の可変ダイアル錠。
【請求項３】
上記第１及び／又は第２リングストッパーを解錠角度位置に選択的に固定する第２係止手段を設け、以て施錠機能が働く作動モードと働かない作動モードに切替えることを可能にした請求項１又は２に記載の可変ダイアル錠。
【発明の詳細な説明】
【０００１】
【発明の属する技術分野】
この発明は可変ダイアル錠に係り、特に、簡単な操作で解錠番号を変更することができると共に、切替え操作により作動モードを変えることを可能にした新規な可変ダイアル錠に関する。
【０００２】
【従来の技術】
例えばマンションの郵便受の蓋に装着されるダイアル錠は、摘みを一方向に１回転以上回して２桁の解錠番号の最初の数字に指標を合せ、次いで反対方向に摘みを回して２桁目の数字に指標を合せることにより解錠する。
【０００３】
本発明者等は、先に、実開平６−１６５３号公報を以て、解錠番号を変換できる可変ダイアル錠を提案した。
【０００４】
【発明が解決しようとする課題】
上記した可変ダイアル錠は、詳細な説明は省略するが、解錠番号変換時における番号設定機構の作動が若干不安定である、という恨みがある。
【０００５】
また、使用者によっては番号の変換機能を必要としない場合があり、このような需要に対して異なる構成のダイアル錠を供給することは製造上無駄がある。
【０００６】
更にまた、例えば老人や幼い子供がダイアル錠を操作する場合、操作方法をよく理解できない場合があり、このような使用環境においては、むしろ施錠機能を停止して単なるラッチ機構とした方が都合がよい。
【０００７】
この発明は、上記した不都合を種々勘案して、上記実開平６−１６５３号公報を以て提案した可変ダイアル錠を改良すると共に、番号切替え機能及び施錠機能を選択的に取捨できるようにした可変ダイアル錠を提供することを目的としている。
【０００８】
【課題を解決するための手段】
上記の目的を達成するため、請求項１に記載の発明は、ハウジングとしてのカップ状の外筒内に、この外筒の底部に同軸かつ入れ子状に嵌装され、相互に独立に回動できるように支承されたカップ状の内側及び外側内筒を設け、これら内側及び外側内筒の開口端縁にｎ（ｎ：２以上の正の整数）個の外筒半径方向の係合溝を形成すると共に、内側及び外側内筒の相互に対向する部分に、相互に干渉可能な第１及び第２係合片を夫々突設し、また、解錠番号設定用の摘みを内側及び外側内筒の何れか一方に結合し、一方、外筒の内端部に、一端に外部の錨止部と係合する係合片を、他端に錠止部を夫々形成したラッチ体の中央部を内筒の軸線を含む平面内で回動可能に支承し、他方、このラッチ体と干渉しないようにして、番号変換ブロックを内筒軸線方向に移動可能に支承し、この番号変換ブロックの外端部に、上記内側及び外側内筒の夫々に対応して、夫々一部にラッチ体の錠止部が通過可能な切欠を形成した第１及び第２リングストッパーを内筒と同軸に配設し、これらを相互に独立して回動可能に支承すると共に、ラッチ体の錠止部を内方から第１及び第２リングストッパーの中心開口に挿入してその開口端縁に内側から係合可能に臨ませ、また、第１及び第２リングストッパーに、夫々少なくとも１個の係合突起を対応する内筒の係合溝に選択的に係合可能に形成し、ラッチ体の錠止部が第１及び第２リングストッパーの切欠に整合した解錠状態で番号変換ブロックを外方に押動し、第１及び第２リングストッパーの係合突起を内側及び外側内筒の係合溝に係合させることにより、内側内筒及び第１リングストッパー、及び外側内筒及び第２リングストッパーを夫々一体的に連結し、以て、摘みの回動操作で第１及び／又は第２リングストッパーの切欠を所定の角度位置から外してラッチ体の錠止部を回動不能に拘束することによる施錠を可能にし、一方、ラッチ体の錠止部が第１及び第２リングストッパーの切欠に整合した解錠状態で番号変換ブロックを内方に押動し、第１及び第２リングストッパーを内側及び外側内筒から切り離すことにより、摘みの操作で新しい番号を設定するようにしたことを特徴とする。
【０００９】
また、請求項２に記載の発明は、上記番号変換ブロックを選択的に固定する第１係止手段を設け、以て番号変換機能が働く作動モードと働かない作動モードに切替えることを可能にしたことを特徴とする。
【００１０】
更にまた、請求項３に記載の発明は、上記第１及び／又は第２リングストッパーを解錠角度位置に選択的に固定する第２係止手段を設け、以て施錠機能が働く作動モードと働かない作動モードに切替えることを可能にしたことを特徴とする。
【００１１】
【実施例】
以下、この発明の一実施例を図面を参照して説明する。
図１及び図２において符号１は外筒を示し、この外筒１は、外端となる一端（図１及び図２で下端）にフランジを形成し、他端（内端）が開口したカップ状のハウジングである。
【００１２】
この外筒１の底部に、図２に示すように、夫々カップ状の内側内筒２及び外側内筒３が同軸かつ入れ子状に嵌装され、これらは相互に独立に回動できるように支承されている（図３及び図４参照）。
【００１３】
これら内側及び外側内筒２、３の開口端縁（図２において上端縁）には、夫々ｎ個（図示の実施例では１０個）の外筒半径方向の係合溝４、４が形成されている。
【００１４】
また、図２に示すように、内側内筒２の外端部（図２で下端部）は係合溝４、４を形成した上端部より小径になっており、この小径部と外側内筒３の内周面との間に形成された空隙部５（図３及び図４参照）に位置するように、内側内筒２の外周面には、その母線に沿って、第１係合片６が突設されている。
【００１５】
この第１係合片６に対応して、図２に示すように、外側内筒３の内周面には、その母線に沿って、第２係合片７が突設されている。
【００１６】
これら第１及び第２係合片７は、通常ツクと称され、かかるダイアル錠においては必須の構成である。
【００１７】
上記内側内筒２の外端部は、図２及び図３に示すように、第１係合片６が形成されている小径部にこれよりも更に小径である軸受部８と断面方形部９とが連設されている。
【００１８】
そして、図３に示すように、第１係合片６を形成した小径部を外側内筒３の付番しない底面開口に、軸受部８を外筒１のこれも付番しない底面開口に夫々回動可能に嵌合させた状態で、内側内筒の断面方形部９を外形円形のクリックスプリング板１１、及び文字板１２の付番しない角穴に通し、更に摘み１３の内端部に形成された深い角穴に嵌合させる。
【００１９】
一方、図３に示すように、内側内筒２にはその中心軸線に沿って付番しないねじ穴が貫通しており、また、摘み１３の角穴の底面には図示しない雌ねじ孔が形成されているので、内側（図２及び図３で上方）から内側内筒２のねじ穴を挿通し、摘みの雌ねじ孔に先端を捩じ込まれる止めねじ１４により、内側内筒２、クリックスプリング板１１、文字板１２及び摘み１３は一体的に結合されることになる。
【００２０】
上記したように、内側内筒２は摘み１３に一体的に結合されているが、外側内筒３は内側内筒２と独立に回動できる。
【００２１】
なお、上記外筒１は、図４に示すように、例えば郵便受けの蓋等の取付け板１５に開口した方形の取付け穴（付番せず）に外側から（図４で下方から）挿入され、外筒１の雄ねじ部１６（図２参照）と螺合する図示しないナットと外筒のフランジ部とで取付け板１５を挟持するようにして（図示せず）、取付け板１５に装着される。
【００２２】
このとき、外筒１のフランジの裏面に突設された位置決め片１７（図２参照）を上記取付け穴に連設された切欠（図示せず）と係合させることにより、外筒１の中心軸線回りの角度位置を設定する。
【００２３】
また、文字板１２の表面（図２及び図３で下面）の外周部には、例えば等角度間隔で符号又は算用数字が標記されており、摘み１３を回して数字等を取付け板１５の所定の位置に標記された指標に合致させることにより解錠番号を設定する。
【００２４】
上記した解錠番号の設定にクリック感を与えるため、クリックスプリング板１１の、例えばプラスチック円板の一部を切り残す形で形成したクリックばね１８（図２参照）の外周縁中央に突起を形成し、一方、外筒１のフランジ外面に同軸に形成され、クリックスプリング板１１を収納する凹陥部の外周縁に上記突起と係合する凹部（図示せず）の例えば１０個を等間隔で形成し、これら突起と凹部のスナップアクションを伴う係合によりクリック感を生ぜしめる。
【００２５】
そして、この発明による可変ダイアル錠は、通常のダイアル錠と同様に、摘み１３を所定の方向に１回転以上させ、第１及び第２係合片６、７を相互に係合させた後、更に摘み１３を同方向に回すことにより内側内筒２を介して外側内筒３を押動し、先ず外側内筒３を設定された解錠番号の最初の数字又は符号に対応する角度位置に置く。
【００２６】
ちなみに、図示の実施例では解錠番号は２桁であり、各桁は０〜９の算用数字により表わされるので、このダイアル錠の鍵違いは最大１００となる。
【００２７】
次いで、摘み１３を反対方向に回し戻し、内筒２を解錠番号の２桁目の数字に対応した角度位置に置く。
【００２８】
通常のダイアル錠では、このダイアル操作により内側及び外側内筒に相当する部材に形成された切欠がラッチ体の錠止部に整合し、ラッチ体が回動可能になってダイアル錠が解錠されるのであるが、この発明では、後述するように、内筒と相対角度位置を違えて係合可能なリングストッパーに切欠が形成されている。
【００２９】
一方、図１に示すように、外筒１の内端の開口には、大体の形状がフランジ付短円柱体であるカバー体１９が嵌着され、このカバー体１９及び外筒１を共通に貫通するスプリングピン２１により固定されている。
【００３０】
上記カバー体１９は、図５に示すように、一方向の側面に後述するラッチ体２２を回動可能に収納、案内するラッチ溝２３と、このラッチ溝２３に連設され、カバー体１９をその中心軸線方向に貫通する断面凸字形のガイド孔２４とが形成されている。
【００３１】
そして、上記ラッチ溝２３には、一端（図５で上端）に外部の錨止部と係合する係合片２５を、他端に錠止部２６を夫々形成したラッチ体２２の中央部が、上記カバー体固定用のスプリングピン２１により軸支されている。
【００３２】
上記した構成により、ラッチ体２２は、内筒の軸線を含む平面内で回動できるようにスプリングピン２１により軸支され、ラッチ溝２３に案内されることになる。
【００３３】
なお、この発明による可変ダイアル錠は、図１に示すラッチ体２２が水平になるように、すなわちラッチ体２２が水平面内で回動できるように、例えば郵便受の蓋板の自由端部に装着され、図１に示す施錠状態では、郵便受の内側面に垂設された図示しない棒状の錨止部が係合片２５のＵ字形の受溝と係合するようにする。
【００３４】
ちなみに、後述する解錠後ダイアル錠の摘み１３を持って郵便受の蓋を手前に引けば、ラッチ体の係合片２５は図１で上方に移動して錨止部との係合が解け、蓋を開けることができる。
【００３５】
なお、図示の実施例においては、図３乃至図５に示すように、一端をばね掛けピン２７を介してラッチ体２２の背面に掛け止め、他端をガイド孔２４の内面に掛け止めた圧縮コイルばねとしてのラッチばね２８の弾力により、ラッチ体２２は施錠角度位置においてもまた解錠角度位置においてもその角度位置を保つ方向に弾圧されるのでラッチ体２２の作動が確実になり、また、施錠及び解錠角度位置の間に思案点があるので、ラッチ体２２にスナップアクション性が付与される。
【００３６】
他方、カバー体１９に形成された前記ガイド孔２４には、番号変換ブロック２９が内筒軸線方向に移動可能に支持、案内されている。
【００３７】
この番号変換ブロック２９は、図５に示すように、ラッチ体２２に対向する側にこれとの干渉を避けるための逃げ溝３１を形成したブロック体である。
【００３８】
この番号変換ブロック２９の外端部（図５で下端部）には、断面が円の一部をなすフランジ付のリングストッパー支持軸３２が一体に形成されている。
【００３９】
そして、番号変換ブロック２９をガイド孔２４に挿入したとき外方（図３乃至図５で下方）に突出するリングストッパー支持軸３２には、前記内側及び外側内筒２、３の夫々に対応して、第１及び第２リングストッパー３３、３４が夫々内筒と同軸に配設され、かつ相互に独立に回動可能に支承されている。
【００４０】
上記第１及び第２リングストッパー３３、３４には、夫々一部にラッチ体の錠止部２６が通過可能な切欠３５が形成されている。
【００４１】
なお、リングストッパー支持軸３２にリングストッパー３３（３４）を装着するには、各リングストッパーを少し拡開してリングストッパー支持軸のフランジ部を通過させるようにする。
【００４２】
また、図５において符号３６は番号変換ブロック２９に一体に形成された可撓性のクリック腕を示し、このクリック腕３６はカバー体の内面に開口する支持開口３７に挿入されて、その付番しない爪を支持開口３７内の突起と係脱させることにより、番号変換ブロック２９の出し入れ時その作動にクリック感を付与するものであるが、この発明の必須の構成ではないので、更に詳細な説明は省略する。
【００４３】
そして、施錠状態においては、図６（Ｃ）に示すように、ラッチ体の錠止部２６を内方から第１及び第２リングストッパー３３、３４の中心開口に挿入し、その開口端縁に内側から係合可能に臨ませている。
【００４４】
また、図５に示すように、第１及び第２リングストッパー３３、３４の外周縁には少なくとも１個の係合突起３８が形成されている。
【００４５】
図示の実施例では、第１リングストッパー３３には８個の、第２リングストッパー３４には９個の係合突起３８、３８が夫々前記内側及び外側内筒２、３の係合溝４、４と同じ角度間隔で、かつこれらと係合可能に形成されている。
【００４６】
上記のように構成されたこの発明の一実施例による可変ダイアル錠は、図６の（Ａ）、（Ｂ）に示すように、ラッチ体２２の錠止部２６が同じ角度位置にある第１及び第２リングストッパー３３、３４の切欠３５、３５に整合した解錠状態で、番号変換ブロック２９を外方に押動し、図４に示すように、第１リングストッパー３３を内側内筒２に、第２リングストッパー３４を外側内筒３に夫々係合させる。
【００４７】
この係合は、内側及び外側内筒２、３の各係合溝４に、対応するリングストッパーの係合突起３８を填め込むことにより行われることは言うまでもない。
【００４８】
この常態、すなわち施錠機能が働く作動モードでは、夫々係合溝４と係合突起３８との係合を介して、内側内筒２と第１リングストッパー３３とが、また、外側内筒３と第２リングストッパー３４とが一体的に連結され、前記したように摘み１３を操作することにより、解錠番号を指標に順次合致させてリングストッパーの切欠３５、３５を整合させてラッチ体２２を自由にすることによりこのダイアル錠を解錠する。
【００４９】
図示の実施例によるダイアル錠を解錠後例えば郵便受けの蓋を手前に引くと、図６（Ａ）に示すように、ラッチ体２２の錠止部２６が回動して内筒２、３側に突出するが、この突出した錠止部２６は内筒２、３の係合溝４に入り込むので作動に支障は無い。
【００５０】
解錠番号を変更するときには、番号変換ブロック２９を内側に押動し、換言すれば、ダイアル錠の裏側を正面に見て番号変換ブロック２９を手前に引き、図３に示すように、内側及び外側内筒２、３を夫々対応するリングストッパーから切り離す。
【００５１】
このとき、リングストッパー支持軸３２（図５参照）のフランジがリングストッパー３３、３４をカバー体１９の外面（図５で下面）に押し付けるので、リングストッパー３３、３４の円周方向の遊動が拘束される。
【００５２】
但し、図示の実施例では、ラッチ体２２は外筒１の軸線方向には移動できないように支持されているから、リングストッパー３３、３４を内筒２、３から切り離してもラッチ体２２と内筒２、３の係合溝４とは円周方向において相互に拘束され、摘みの操作ができない。
【００５３】
そこで、郵便受けの蓋を閉めてラッチ体２２を施錠角度位置に置くと、図６（Ｂ）に示すように、ラッチ体の錠止部２６がリングストッパーの中心開口内に引込むので、内筒２、３の回動が自由になり、摘みを操作しての新しい解錠番号の設定が可能になる。
【００５４】
そして、前記したようにして摘みを操作し、内側及び外側内筒２、３を夫々新しい解錠番号の各桁の数字に対応した角度位置に置いた状態で郵便受けの蓋を開き、番号変換ブロック２９を摘んでこれを外方に押動すると、新しい解錠番号に対応した係合溝４と係合突起３８の係合を介して、内筒２、３とリングストッパー３３、３４との相対角度位置が定まり、このようにして新しい解錠番号が設定される。
【００５５】
なお、図５において符号３９は第１係止ピンを示し、この第１係止ピン３９と番号変換ブロック２９の側面に形成された係止溝４１とが前記請求項２に記載の第１係止手段を構成する。
【００５６】
すなわち、番号変換機能を停止させたいとき、この第１係止ピン３９をカバー体１９の図示しない開口を通して番号変換ブロックの係止溝４１に挿入すれば、番号変換ブロックは固定されてしまうから前記したリングストッパーと内筒との切り離しができず、したがって番号を変換することができなくなる。
【００５７】
また、図５において符号４２は第２係止ピンを示し、この第２係止ピン４２と第１及び／又は第２リングストッパー３３、３４に開口した係止孔４３とが前記請求項３における第２係止手段を構成する。
【００５８】
すなわち、例えば図示の実施例において、解錠時カバー体１９を外筒軸線方向に挿通させて第２係止ピン４２の先端を係止孔４３に挿入すれば、第２リングストッパー３４は直接この第２係止ピン４２に、第１リングストッパー３３はラッチ体の錠止部２６及び第２リングストッパー３４を介して第２係止ピン４２に回動を拘束されるから、摘み１３を回すことができず、したがって施錠機能が停止されてこの可変ダイアル錠は単なるラッチ機構となる。
【００５９】
【発明の効果】
以上の説明から明らかなように、この発明は、摘みの操作により解錠番号を設定する内側及び外側内筒と、ラッチ体の回動を制御する第１及び第２リングストッパーとを切り離し可能に連結するようにしたので、所定の操作により解錠番号を確実に変更することができる、という所期の効果を奏する。
【００６０】
また、第１係止手段により番号変換ブロックを固定できるようにしたので、必要の無いときには解錠番号変更機能を停止させることができる。
【００６１】
更にまた、第２係止手段により第１及び第２リングストッパーを固定できるようにしたので、必要の無いときには施錠機能を停止させてこの可変ダイアル錠を単なるラッチ機構に変換することができる、等種々の効果を奏する。
【図面の簡単な説明】
【図１】この発明の一実施例による可変ダイアル錠の外観斜視図で、施錠状態を示す。
【図２】内筒及び外筒の構成を部品を展開して示す外観斜視図。
【図３】この発明の一実施例による可変ダイアル錠の断面図で、番号設定中を示す。
【図４】この発明の一実施例による可変ダイアル錠の断面図で、番号設定後を示す。
【図５】カバー体に担持されたラッチ制御部の構成を部材を展開して示す外観斜視図。
【図６】ラッチ制御部の外観斜視図で、（Ａ）は解錠状態を、（Ｂ）はリングストッパーが解錠状態にあるがラッチ体が施錠角度位置にあり、（Ｃ）はリングストッパー及びラッチ体双方が施錠角度位置にある状態を示す。
【図７】ラッチ制御部を取り外して示す外筒内部の斜視図。
【符号の説明】
１  外筒
２  内側内筒
３  外側内筒
４  係合溝
６  第１係合片
７  第２係合片
１２  文字板
１３  摘み
１９  カバー体
２２  ラッチ体
２３  ラッチ溝
２４  ガイド孔
２５  係合片
２６  錠止部
２９  番号変換ブロック
３１  逃げ溝
３２  リングストッパー支持軸
３３  第１リングストッパー
３４  第２リングストッパー
３５  切欠
３８  係合突起
３９  第１係止ピン
４１  係止溝
４２  第２係止ピン
４３係止孔
【図１】
0004568903.tif 000002
【図２】
0004568903.tif 000003
【図３】
0004568903.tif 000004
【図４】
0004568903.tif 000005
【図５】
0004568903.tif 000006
【図６】
0004568903.tif 000007
【図７】
0004568903.tif 000008